(57)【要約】【課題】  画像記録手段の空き容量及び電池の残量に基づいて算出された撮像可能数のうち、ユーザが必要とするものを報知することができる撮像装置及び撮像制御プログラムを提供する。【解決手段】  ＣＰＵ５０は、モードスイッチ２０によって動作モードが静止画撮像モードに切り替えられたことを検出すると、撮像可能枚数の算出基準の設定情報を取得する（ステップＳ１０）。撮像可能枚数の算出基準が「メディア」に設定されている場合には（ステップＳ１０のＹｅｓ）、ＣＰＵ５０は、記録メディア７４の空き容量に基づいて、静止画の撮像可能枚数を算出して（ステップＳ１２）、液晶モニタ１８に表示させる（ステップＳ１４）。一方、撮像可能枚数の算出基準が「バッテリ」に設定されている場合には（ステップＳ１０のＹｅｓ）、ＣＰＵ５０は、バッテリ５８の残量に基づいて、静止画の撮像可能枚数を算出して（ステップＳ１６）、液晶モニタ１８に表示させる（ステップＳ１４）。【選択図】      図５
2007312216.tif 000002
【特許請求の範囲】
【請求項１】
画像を撮像する撮像手段と、
前記撮像手段によって撮像された画像を記録する画像記録手段と、
前記画像記録手段の空き容量を検出する空き容量検出手段と、
前記画像記録手段の空き容量に応じて、第１の撮像可能数を算出する第１の算出手段と、
撮像装置に電源を供給する電池の残量を検出する電池残量検出手段と、
前記電池残量検出手段によって検出された電池の残量に応じて、第２の撮像可能数を算出する第２の算出手段と、
表示手段と、
前記第１の撮像可能数及び第２の撮像可能数を前記表示手段に表示させる表示制御手段と、
を備えることを特徴とする撮像装置。
【請求項２】
前記第１の撮像可能数又は前記第２の撮像可能数のいずれか一方を選択する選択手段を更に備え、
前記表示制御手段は、前記選択手段によって選択された撮像可能数を前記表示手段に表示させることを特徴とする請求項１記載の撮像装置。
【請求項３】
前記第１、第２の撮像画像数の大小を判定する判定手段を更に備え、
前記表示制御手段は、前記第１、第２の撮像可能数のうち、前記判定手段によって小さいと判定された方の撮像可能数を前記表示手段に表示させることを特徴とする請求項１記載の撮像装置。
【請求項４】
前記表示制御手段は、前記表示手段に、前記第１、第２の撮像可能数を両方表示させるとともに、前記第１、第２の撮像可能数のうち、前記判定手段によって小さいと判定された方の撮像可能数を強調表示させることを特徴とする請求項３記載の撮像装置。
【請求項５】
前記電池残量の検出実行の指示を入力するための指示入力手段と、
前記電池残量の検出実行の指示の入力に応じて、前記電池残量検出手段に前記電池の残量を検出させるとともに、前記第２の算出手段に第２の撮像可能数を算出させる第１の制御手段とを更に備え、
前記表示制御手段は、前記電池残量の検出実行の指示の入力に応じて算出された第２の撮像画像数を前記表示手段に表示させることを特徴とする請求項１から４のいずれか１項記載の撮像装置。
【請求項６】
所定時間おきに、前記電池残量検出手段に前記電池の残量を検出させるとともに、前記第２の算出手段に最新の第２の撮像可能数を算出させる第２の制御手段と、
前記第２の撮像画像数を記憶する記憶手段とを更に備え、
前記表示制御手段は、前記第２の撮像可能数が、前記記憶手段に直前に記憶された第２の撮像可能数から変化している場合に、前記第２の撮像画像数が変化したことを前記表示手段に表示させることを特徴とする請求項１から５のいずれか１項記載の撮像装置。
【請求項７】
前記第１及び第２の算出手段は、前記撮像可能数として、静止画の撮像可能枚数又は動画の撮像可能時間を算出することを特徴とする請求項１から６のいずれか１項記載の撮像装置。
【請求項８】
前記静止画撮像モードと、動画撮像モードとの間で動作モードを切り替える動作モード切替手段を更に備え、
前記表示制御手段は、前記動作モードが静止画撮像モードの場合に、静止画の撮像可能枚数を表示させ、前記動作モードが動画撮像モードの場合に、動画の撮像可能時間を表示させることを特徴とする請求項７記載の撮像装置。
【請求項９】
画像を撮像する撮像機能と、
前記撮像機能によって撮像された画像を画像記録手段に記録する画像記録機能と、
前記画像記録手段の空き容量を検出する空き容量検出機能と、
前記画像記録手段の空き容量に応じて、第１の撮像可能数を算出する第１の算出機能と、
撮像装置に電源を供給する電池の残量を検出する電池残量検出機能と、
前記電池残量検出機能によって検出された電池の残量に応じて、第２の撮像可能数を算出する第２の算出機能と、
前記第１及び第２の撮像可能数を表示する表示機能と、
をコンピュータに実現させることを特徴とする撮像制御プログラム。
【請求項１０】
前記第１の撮像可能数又は前記第２の撮像可能数のいずれか一方を選択する選択機能と、
前記選択機能によって選択された撮像可能数を表示する機能と、
をコンピュータに実現させることを特徴とする請求項９記載の撮像制御プログラム。
【請求項１１】
前記第１、第２の撮像画像数の大小を判定する判定機能と、
前記第１、第２の撮像可能数のうち、前記判定機能によって小さいと判定された方の撮像可能数を前記表示機能により表示する表示制御機能と、
をコンピュータに実現させることを特徴とする請求項９記載の撮像制御プログラム。
【請求項１２】
前記表示制御機能は、
前記第１、第２の撮像可能数を両方表示する機能と、
前記第１、第２の撮像可能数のうち、前記判定機能によって小さいと判定された方の撮像可能数を強調表示する機能と、
を含むことを特徴とする請求項１１記載の撮像制御プログラム。
【請求項１３】
前記電池残量の検出実行の指示を入力するための指示入力機能と、
前記電池残量の検出実行の指示の入力に応じて、前記電池残量検出機能により前記電池の残量を検出するとともに、前記第２の算出機能により第２の撮像可能数を算出する第１の制御機能と、
前記電池残量の検出実行の指示の入力に応じて算出された第２の撮像画像数を前記表示機能により表示する機能と、
をコンピュータに実現させることを特徴とする請求項９から１２のいずれか１項記載の撮像制御プログラム。
【請求項１４】
所定時間おきに、前記電池残量検出機能により前記電池の残量を検出するとともに、前記第２の算出機能により最新の第２の撮像可能数を算出する第２の制御機能と、
前記第２の撮像画像数を記憶する記憶機能と、
前記第２の撮像可能数が、前記記憶機能により直前に記憶された第２の撮像可能数から変化している場合に、前記第２の撮像画像数が変化したことを前記表示機能により表示する機能と、
をコンピュータに実現させることを特徴とする請求項９から１３のいずれか１項記載の撮像制御プログラム。
【発明の詳細な説明】
【技術分野】
【０００１】
本発明は撮像装置及び撮像制御プログラムに係り、特に撮像能力を表示する機能を有する撮像装置等に関する。
【背景技術】
【０００２】
従来、電池の残量を検知し、検知した電池の残量に応じて撮像可能枚数を表示するカメラが提案されている（特許文献１）。
【特許文献１】特開平１１−５２４６９号公報
【発明の開示】
【発明が解決しようとする課題】
【０００３】
しかしながら、カメラの撮像可能枚数は、電池の残量だけではなく、フイルムの残量や画像を記録するための記録メディアの残量によっても左右される。上記特許文献１では、電池の残量に応じて撮像可能枚数を判定、表示するため、電池残量が十分ある場合でも、フイルムや記録メディアの残量不足により撮像ができなくなるおそれがあった。
【０００４】
本発明はこのような事情に鑑みてなされたもので、画像記録手段の空き容量及び電池の残量に基づいて算出された撮像可能数のうち、ユーザが必要とするものを報知することができる撮像装置及び撮像制御プログラムを提供することを目的とする。
【課題を解決するための手段】
【０００５】
上記課題を解決するために、本発明の請求項１に係る撮像装置は、画像を撮像する撮像手段と、前記撮像手段によって撮像された画像を記録する画像記録手段と、前記画像記録手段の空き容量を検出する空き容量検出手段と、前記画像記録手段の空き容量に応じて、第１の撮像可能数を算出する第１の算出手段と、撮像装置に電源を供給する電池の残量を検出する電池残量検出手段と、前記電池残量検出手段によって検出された電池の残量に応じて、第２の撮像可能数を算出する第２の算出手段と、表示手段と、前記第１の撮像可能数及び第２の撮像可能数を前記表示手段に表示させる表示制御手段とを備えることを特徴とする。
【０００６】
請求項１に係る発明によれば、ユーザは、画像記録手段の空き容量又は電池の残量に基づいて、静止画の撮像可能枚数や動画の撮像可能時間を算出、表示させることができる。
【０００７】
請求項２に係る撮像装置は、請求項１において、前記第１の撮像可能数又は前記第２の撮像可能数のいずれか一方を選択する選択手段を更に備え、前記表示制御手段は、前記選択手段によって選択された撮像可能数を前記表示手段に表示させることを特徴とする。
【０００８】
請求項２に係る発明によれば、ユーザは、画像記録手段の空き容量又は電池の残量のうち、所望の算出基準に基づいて、静止画の撮像可能枚数や動画の撮像可能時間を算出、表示させることができる。
【０００９】
請求項３に係る撮像装置は、請求項１において、前記第１、第２の撮像画像数の大小を判定する判定手段を更に備え、前記表示制御手段は、前記第１、第２の撮像可能数のうち、前記判定手段によって小さいと判定された方の撮像可能数を前記表示手段に表示させることを特徴とする。
【００１０】
請求項３に係る発明によれば、画像記録手段の空き容量及び電池の残量に基づいて算出された静止画の撮像可能枚数や動画の撮像可能時間のうち値の小さい方、即ち、早くなくなる方をユーザに報知することができる。
【００１１】
請求項４に係る発明は、請求項３の撮像装置において、前記表示制御手段は、前記表示手段に、前記第１、第２の撮像可能数を両方表示させるとともに、前記第１、第２の撮像可能数のうち、前記判定手段によって小さいと判定された方の撮像可能数を強調表示させることを特徴とする。
【００１２】
請求項４に係る発明によれば、画像記録手段の空き容量又は電池の残量に基づいて算出された静止画の撮像可能枚数や動画の撮像可能時間のうち値の小さい方に強調表示することにより、ユーザに電池又は画像記録手段のどちらが不足しているのかを報知することができる。
【００１３】
請求項５に係る発明は、請求項１から４の撮像装置において、前記電池残量の検出実行の指示を入力するための指示入力手段と、前記電池残量の検出実行の指示の入力に応じて、前記電池残量検出手段に前記電池の残量を検出させるとともに、前記第２の算出手段に第２の撮像可能数を算出させる第１の制御手段とを更に備え、前記表示制御手段は、前記電池残量の検出実行の指示の入力に応じて算出された第２の撮像画像数を前記表示手段に表示させることを特徴とする。
【００１４】
請求項５に係る発明によれば、ユーザは、電池の残量に基づく撮像可能枚数を所望のタイミングで確認することができる。
【００１５】
請求項６に係る発明は、請求項１から５の撮像装置において、所定時間おきに、前記電池残量検出手段に前記電池の残量を検出させるとともに、前記第２の算出手段に最新の第２の撮像可能数を算出させる第２の制御手段と、前記第２の撮像画像数を記憶する記憶手段とを更に備え、前記表示制御手段は、前記第２の撮像可能数が、前記記憶手段に直前に記憶された第２の撮像可能数から変化している場合に、前記第２の撮像画像数が変化したことを前記表示手段に表示させることを特徴とする。
【００１６】
請求項６に係る発明によれば、電池の残量の変化による撮像可能枚数の変化をユーザに報知することができる。
【００１７】
請求項７に係る発明は、請求項１から６の撮像装置において、前記第１及び第２の算出手段は、前記撮像可能数として、静止画の撮像可能枚数又は動画の撮像可能時間を算出することを特徴とする。
【００１８】
また、請求項８に係る発明は、請求項７の撮像装置において、前記静止画撮像モードと、動画撮像モードとの間で動作モードを切り替える動作モード切替手段を更に備え、前記表示制御手段は、前記動作モードが静止画撮像モードの場合に、静止画の撮像可能枚数を表示させ、前記動作モードが動画撮像モードの場合に、動画の撮像可能時間を表示させることを特徴とする。
【００１９】
請求項９に係る撮像制御プログラムは、画像を撮像する撮像機能と、前記撮像機能によって撮像された画像を画像記録手段に記録する画像記録機能と、前記画像記録手段の空き容量を検出する空き容量検出機能と、前記画像記録手段の空き容量に応じて、第１の撮像可能数を算出する第１の算出機能と、撮像装置に電源を供給する電池の残量を検出する電池残量検出機能と、前記電池残量検出機能によって検出された電池の残量に応じて、第２の撮像可能数を算出する第２の算出機能と、前記第１及び第２の撮像可能数を表示する表示機能とをコンピュータに実現させることを特徴とする。
【００２０】
請求項１０に係る撮像制御プログラムは、請求項９において、前記第１の撮像可能数又は前記第２の撮像可能数のいずれか一方を選択する選択機能と、前記選択機能によって選択された撮像可能数を表示する機能とをコンピュータに実現させることを特徴とする。
【００２１】
請求項１１に係る撮像制御プログラムは、請求項９において、前記第１、第２の撮像画像数の大小を判定する判定機能と、前記第１、第２の撮像可能数のうち、前記判定機能によって小さいと判定された方の撮像可能数を前記表示機能により表示する表示制御機能とをコンピュータに実現させることを特徴とする。
【００２２】
請求項１２に係る発明は、請求項１１の撮像制御プログラムにおいて、前記表示制御機能は、前記第１、第２の撮像可能数を両方表示する機能と、前記第１、第２の撮像可能数のうち、前記判定機能によって小さいと判定された方の撮像可能数を強調表示する機能とを含むことを特徴とする。
【００２３】
請求項１３に係る発明は、請求項９から１２の撮像制御プログラムにおいて、前記電池残量の検出実行の指示を入力するための指示入力機能と、前記電池残量の検出実行の指示の入力に応じて、前記電池残量検出機能により前記電池の残量を検出するとともに、前記第２の算出機能により第２の撮像可能数を算出する第１の制御機能と、前記電池残量の検出実行の指示の入力に応じて算出された第２の撮像画像数を前記表示機能により表示する機能とをコンピュータに実現させることを特徴とする。
【００２４】
請求項１４に係る発明は、請求項９から１３の撮像制御プログラムにおいて、所定時間おきに、前記電池残量検出機能により前記電池の残量を検出するとともに、前記第２の算出機能により最新の第２の撮像可能数を算出する第２の制御機能と、前記第２の撮像画像数を記憶する記憶機能と、前記第２の撮像可能数が、前記記憶機能により直前に記憶された第２の撮像可能数から変化している場合に、前記第２の撮像画像数が変化したことを前記表示機能により表示する機能とをコンピュータに実現させることを特徴とする。
【００２５】
請求項９から１４に係る撮像制御プログラムを、撮像装置やカメラ付き携帯電話ＰＤＡ等に適用することにより、本発明の撮像装置を実現することができる。
【発明の効果】
【００２６】
本発明によれば、画像記録手段の空き容量及び電池の残量に基づいて算出された撮像可能数のうち、ユーザが必要とするものを報知することができる。
【発明を実施するための最良の形態】
【００２７】
以下、添付図面に従って本発明に係る撮像装置及び撮像制御プログラムの好ましい実施の形態について説明する。
【００２８】
［撮像装置の構成］
図１は、本発明の一実施形態に係る撮像装置の外観を示す斜視図である。図１に示すように、撮像装置１０のカメラボディ１２は、扁平状の四角い箱型に形成されている。図１に示すように、カメラボディ１２の背面には、ファインダ接眼部１４、ファインダランプ１６、表示部（液晶モニタ）１８、モードスイッチ２０、ズームボタン２２、マクロボタン２４、フラッシュボタン２６、ＭＥＮＵ／ＯＫボタン２８、ＢＡＣＫボタン３０及び表示ボタン３２等が設けられている。上面には、レリーズボタン３４及び電源スイッチ３６が設けられている。
【００２９】
電源スイッチ３６は、スライド式のスイッチであり、撮像装置１０の電源は、電源スイッチ３６をスライド操作することによりＯＮ／ＯＦＦされる。
【００３０】
カメラボディ１２の上面に設けられたレリーズボタン３４は、いわゆる「半押し」と「全押し」とからなる２段ストロークタイプのボタンで構成されており、「半押し」でＡＦ（Auto Focus：自動焦点合わせ）、ＡＥ（Auto Exposure：自動露出）が機能し、「全押し」で撮像が実行される。
【００３１】
カメラボディ１２の背面に設けられた液晶モニタ１８は、撮像した画像の再生用モニタとして使用されるとともに、撮像時には電子ビューファインダとして使用される。表示ボタン３２は、この電子ビューファインダのＯＮ／ＯＦＦ切替ボタンとして機能する。また、液晶モニタ１８は、ユーザインターフェース用表示画面としても利用され、必要に応じてメニュー情報や選択項目、設定内容等の情報が表示される。なお、液晶モニタ１８に代えて、有機ＥＬ（electro-luminescence）等の他の方式の表示装置を用いることも可能である。
【００３２】
モードスイッチ２０は、撮像装置１０のモードを切り替えるスイッチとして機能し、その設定位置によって静止画の撮像を行なう「静止画撮像モード」と、動画の撮像を行う「動画撮像モード」、撮像した画像を再生する「再生モード」とに切り替えられる。
【００３３】
ズームボタン２２は、上下方向に揺動自在なシーソーボタンで構成されており、ズーム操作時の操作ボタンとして機能する。すなわち、撮像モードの下、このズームボタン２２を上方向に操作することにより、ズームがテレ方向に操作され、下方向に操作することにより、ズームがワイド方向に操作される。
【００３４】
また、このズームボタン２２は、再生モードの下、再生画像のズームボタンとしても機能する。すなわち、再生モードの下、このズームボタン２２を上方向に操作することにより、再生画像が拡大表示され、下方向に操作することにより、再生画像が縮小表示される。
【００３５】
マクロボタン２４は、マクロ機能（接写機能）のＯＮ／ＯＦＦを切り替えるボタンとして機能し、撮像モードの下、このマクロボタン２４を押圧操作することにより、マクロ機能がＯＮ又はＯＦＦされる。また、このマクロボタン２４は、再生モードの下、コマ戻しボタン（１コマ前の画像が表示されるように指示するボタン）として機能する。
【００３６】
フラッシュボタン２６は、フラッシュモードを切り替えるボタンとして機能し、撮像モードの下、このフラッシュボタン２６を押圧操作することにより、フラッシュモードが、フラッシュ発光／発光禁止の各モードに設定される。また、このフラッシュボタン２６は、再生モードの下、コマ送りボタン（１コマ後の画像が表示されるように支持するボタン）として機能する。
【００３７】
ＭＥＮＵ／ＯＫボタン２８は、メニュー画面の表示を指示するボタンとして機能し、このＭＥＮＵ／ＯＫボタン２８が押されることにより、液晶モニタ１８にメニュー画面が表示される。また、このＭＥＮＵ／ＯＫボタン２８は、メニュー画面から選択した項目の確定や動作の実行を指示するボタンとして機能し、ＢＡＣＫボタン３０は、メニュー画面で選んだ項目の取消や一つ前の状態に戻すことを指示するボタンとして機能する。
【００３８】
なお、このメニュー画面が表示されている場合において、ズームボタン２２、マクロボタン２４、フラッシュボタン２６の３つのボタンは、十字キーとして機能し、この３つのボタンを利用してメニュー項目の選択等が行なわれる。
【００３９】
図２は、撮像装置１０の主要構成を示すブロック図である。図２に示すように、ＣＰＵ５０は、バス５２を介して撮像装置１０内の各部に接続されており、操作部５４等からの操作入力に基づいて撮像装置１０の動作を制御する統括制御部である。操作部５４は、レリーズボタン３４や電源スイッチ３６等を含んでおり、ユーザからの操作入力を受け付ける操作部材である。
【００４０】
電源制御回路５６は、ＣＰＵ５０の制御の下、電源電池（バッテリ）５８から供給される電力を撮像装置１０の各部に供給する。計時部５９は、時間を計時する。
【００４１】
メモリ６０は、メモリ制御部６２によって制御され、ＣＰＵ５０が処理するプログラム及び制御に必要な各種データ等が格納されるＲＯＭや、ＣＰＵ５０が各種の演算処理等を行う作業用領域及び画像処理領域となるＳＤＲＡＭ等を有している。
【００４２】
外部通信インターフェース部（外部通信Ｉ／Ｆ）６４は、ネットワークや外部出力機器（例えば、パーソナルコンピュータやテレビジョン、ディスプレイ、プリンタ、外部記録装置）等と接続するための機器で、所定のプロトコルにしたがって各種データの送受信を行う。なお、データの送受信の方式としては、例えば、ＵＳＢやＩＥＥＥ１３９４、有線ＬＡＮ、赤外線通信（ＩｒＤＡ）、Bluetooth（登録商標）等を用いることができる。
【００４３】
撮像素子６８は、光学系（レンズ）６６を介して入射した光を受け止めて電気信号に変換する素子であり、例えば、ＣＣＤである。この電気信号は、図示せぬプリアンプによって増幅され、Ａ／Ｄ変換器７０によってデジタル信号に変換されて、画像処理部７２に入力される。
【００４４】
静止画撮像モード時には、画像処理部７２によって撮像素子６８から出力された電気信号が処理されて画角確認用の画像データ（スルー画）が作成され、液晶モニタ１８に表示される。レリーズボタン３４が操作されて画像が撮像されると、撮像素子６８から出力された電気信号が画像処理部７２によって処理されて記憶用の静止画ファイルが作成される。この記憶用の静止画ファイルは、記録メディア７４に所定のファイル形式（例えば、ＪＰＥＧ形式）で記憶される。ここで、記録メディア７４は、例えば、半導体メモリ等であり、記録メディア７４への入出力は外部メモリ制御部７６によって制御される。
【００４５】
また、静止画撮像モード時には、ＣＰＵ５０は、Ｓ１ＯＮ時のＡＥ制御又はフラッシュボタン２６からの操作入力に応じて、フラッシュ制御回路７８に制御信号を送信する。フラッシュ制御回路７８は、図示しないメインコンデンサの充電制御や、フラッシュ発光部８０（例えば、キセノン管）への放電（発光）タイミングの制御等を行う。
【００４６】
また、静止画撮像モード時には、ＣＰＵ５０は、記録メディア７４の空き容量を検出して、記録メディア７４に追加して記録可能な静止画の枚数（撮像可能枚数）を算出する。更に、ＣＰＵ５０は、バッテリ５８の残量を検出して、撮像可能枚数を算出する。なお、バッテリ５８の残量に基づく撮像可能枚数は、フラッシュ発光部８０を使用した場合と、使用しない場合の両方を算出するようにしてもよい。ＣＰＵ５０によって算出された撮像可能枚数は、液晶モニタ１８に表示される。上記撮像可能枚数の表示の態様については後述する。
【００４７】
また、動画撮像モード時には、音声付き動画の記録が可能となり、レリーズボタン３４の押下によって録画動作がスタートし、レリーズボタン３４を再度押下すると録画動作が停止する。こうして記録された動画像は、画像処理部７２によって処理されて記憶用の動画ファイルが作成される。この記憶用の動画ファイルは、記録メディア７４に所定のファイル形式（例えば、ＭＰＥＧ形式）で記憶される。なお、レリーズボタンの押下継続期間に録画動作を行い、押下解除により録画を停止するようにしてもよい。
【００４８】
また、動画撮像モード時には、ＣＰＵ５０は、記録メディア７４の空き容量を検出して、記録メディア７４に動画を追加して記録可能な時間（動画の撮像可能時間）を算出する。更に、ＣＰＵ５０は、バッテリ５８の残量を検出して、動画の撮像可能時間を算出する。ＣＰＵ５０によって算出された撮像可能枚数は、液晶モニタ１８に表示される。上記撮像可能枚数の表示の態様については後述する。
【００４９】
一方、再生モード時には、画像処理部７２によって記録メディア７４に記憶された画像データが読み出されて表示用の画像データが作成されて液晶モニタ１８に表示される。
【００５０】
［第１の実施形態］
次に、静止画の撮像可能枚数及び動画の撮像可能時間（以下、撮像可能数と記載する）の表示の態様について説明する。本実施形態の撮像装置１０では、撮像可能数を算出する際の基準を選択することができる。
【００５１】
図３は、撮像可能数の算出基準を選択する算出基準選択画面を示す図である。図３に示す画面は、ＭＥＮＵ／ＯＫボタン２８の押下に応じて液晶モニタ１８に表示され、液晶モニタ１８のバックライトの照明輝度を下げるまでの時間（表示：１．５秒）やスピーカ及びビープ音（警告音）の音量、撮像可能数の算出基準、撮像画像のファイル名に付す番号の設定（Ｎｏ．：連番）、セットアップ等の設定を行うための画面である。
【００５２】
上記算出基準選択画面において「バッテリ」が選択された場合、ＣＰＵ５０によって、バッテリ５８の残量に基づいて、静止画の撮像可能枚数が算出される。そして、図４（ａ）に示すように、静止画撮像モード時に、算出された静止画の撮像可能枚数が静止画撮像モード時に表示される。なお、図４（ａ）に示すように、液晶モニタ１８には、撮像可能枚数の表示「１２（枚）」とともに、表示されている撮像可能枚数がバッテリ５８の残量に基づいて算出されたものであることを示すアイコン（バッテリアイコンＩ１）が表示される。なお、フラッシュモードがフラッシュ発光ＯＮの場合には、フラッシュを使用した場合の撮像可能枚数が算出表示される。
【００５３】
一方、上記算出基準選択画面において「メディア」が選択された場合、ＣＰＵ５０によって、記録メディア７４の空き容量に基づいて、静止画の撮像可能枚数が算出される。そして、図４（ｂ）に示すように、静止画撮像モード時に、算出された静止画の撮像可能枚数が静止画撮像モード時に表示される。なお、図４（ｂ）に示すように、液晶モニタ１８には、撮像可能枚数の表示「２４（枚）」とともに、表示されている撮像可能枚数が記録メディア７２の空き容量に基づいて算出されたものであることを示すアイコン（メディアアイコンＩ２）が表示される。
【００５４】
図５は、撮像可能枚数の表示処理を示すフローチャートである。図５に示すように、ＣＰＵ５０は、モードスイッチ２０によって動作モードが静止画撮像モードに切り替えられたことを検出すると、撮像可能枚数の算出基準の設定情報を取得する（ステップＳ１０）。撮像可能枚数の算出基準が「メディア」に設定されている場合には（ステップＳ１０のＹｅｓ）、ＣＰＵ５０は、記録メディア７４の空き容量に基づいて、静止画の撮像可能枚数を算出して（ステップＳ１２）、液晶モニタ１８に表示させる（ステップＳ１４）。一方、撮像可能枚数の算出基準が「バッテリ」に設定されている場合には（ステップＳ１０のＹｅｓ）、ＣＰＵ５０は、バッテリ５８の残量に基づいて、静止画の撮像可能枚数を算出して（ステップＳ１６）、液晶モニタ１８に表示させる（ステップＳ１４）。
【００５５】
なお、動画撮像モード時には、ＣＰＵ５０によって、上記算出基準選択画面において選択された算出基準に基づいて、動画の撮像可能時間が算出されて、バッテリアイコンＩ１又はメディアアイコンＩ２とともに液晶モニタ１８に表示される。
【００５６】
本実施形態によれば、ユーザは、記録メディア７４の空き容量又はバッテリ５８の残量のうち、所望の算出基準に基づいて、静止画の撮像可能枚数や動画の撮像可能時間を算出して、液晶モニタ１８に表示することができる。
【００５７】
［第２の実施形態］
次に、撮像可能枚数の表示処理の第２の実施形態について、図６のフローチャートを参照して説明する。図６に示すように、ＣＰＵ５０は、モードスイッチ２０によって動作モードが静止画撮像モードに切り替えられたことを検出すると、まず、記録メディア７４の空き容量に基づいて、静止画の撮像可能枚数ａを算出する（ステップＳ２０）。次に、ＣＰＵ５０は、バッテリ５８の残量に基づいて、静止画の撮像可能枚数ｂを算出する（ステップＳ２２）。
【００５８】
次に、ＣＰＵ５０は、ａ、ｂの大小関係を判定する（ステップＳ２４）。ａ＞ｂの場合には（ステップＳ２４のＹｅｓ）、ＣＰＵ５０は、バッテリ５８の残量に基づいて算出された撮像可能枚数ｂを液晶モニタ１８に表示させる（ステップＳ２６、図４（ａ）参照）。一方、ａ≦ｂの場合には（ステップＳ２４のＮｏ）、ＣＰＵ５０は、記録メディア７４の空き容量に基づいて算出された撮像可能枚数ａを液晶モニタ１８に表示させる（ステップＳ２８、図４（ｂ）参照）。
【００５９】
なお、動画撮像モード時には、ＣＰＵ５０は、記録メディア７４の空き容量又はバッテリ５８の残量に基づいて動画の撮像可能時間を算出し、算出した動画の撮像可能時間のうち短い方を液晶モニタ１８に表示させる。
【００６０】
本実施形態によれば、記録メディア７４の空き容量及びバッテリ５８の残量に基づいて算出された静止画の撮像可能枚数や動画の撮像可能時間のうち値の小さい方、即ち、早くなくなる方を液晶モニタ１８に表示させて、ユーザに報知することができる。また、撮像可能枚数や撮像可能時間を、バッテリアイコンＩ１又はメディアアイコンＩ２とともに表示されるので、ユーザにバッテリ５８や記録メディア７４の交換時期を報知することができる。
【００６１】
［第３の実施形態］
次に、撮像可能枚数の表示処理の第３の実施形態について、図７のフローチャートを参照して説明する。図７に示すように、ＣＰＵ５０は、モードスイッチ２０によって動作モードが静止画撮像モードに切り替えられたことを検出すると、まず、記録メディア７４の空き容量に基づいて、静止画の撮像可能枚数ａを算出する（ステップＳ３０）。次に、ＣＰＵ５０は、バッテリ５８の残量に基づいて、静止画の撮像可能枚数ｂを算出する（ステップＳ３２）。
【００６２】
次に、ＣＰＵ５０は、ａ、ｂの大小関係を判定する（ステップＳ３４）。ａ＞ｂの場合には（ステップＳ３４のＹｅｓ）、図８に示すように、ＣＰＵ５０は、バッテリ５８の残量に基づいて算出された撮像可能枚数ｂを強調して（ステップＳ３６）、液晶モニタ１８に表示させる（ステップＳ３８）。一方、ａ≦ｂの場合には（ステップＳ３４のＮｏ）、ＣＰＵ５０は、記録メディア７４の空き容量に基づいて算出された撮像可能枚数ａを強調して（ステップＳ４０）、液晶モニタ１８に表示させる（ステップＳ３８）。
【００６３】
なお、動画撮像モード時には、ＣＰＵ５０は、記録メディア７４の空き容量又はバッテリ５８の残量に基づいて動画の撮像可能時間を算出して、算出した動画の撮像可能時間のうち短い方を液晶モニタ１８に強調表示させる。
【００６４】
本実施形態によれば、記録メディア７４の空き容量又はバッテリ５８の残量に基づいて算出された静止画の撮像可能枚数や動画の撮像可能時間のうち値の小さい方を液晶モニタ１８に強調表示することにより、ユーザにバッテリ５８又は記録メディア７４のどちらが不足しているのかを報知することができる。
【００６５】
［撮像可能枚数の更新］
なお、上記第１から第３の実施形態では、撮像可能数の更新は、電源ＯＮ時や動作モードの切り替え時、画像の撮像後に行われるが、電池の残量の経時変化に応じて、撮像可能数を更新するようにしてもよい。図９は、電池残量の変化に応じて撮像可能数を更新する処理を示すフローチャートである。まず、ＣＰＵ５０は、モードスイッチ２０によって動作モードが静止画撮像モードに切り替えられたことを検出すると、撮像可能枚数を算出してメモリ６０に一時記憶させるとともに、液晶モニタ１８に表示させる。また、ＣＰＵ５０は、計時部５９をリセットして計時を開始させる。
【００６６】
次に、所定時間（例えば、数秒から数分）が経過すると（ステップＳ５０のＹｅｓ）、ＣＰＵ５０は、バッテリ５８の残量をチェックして（ステップＳ５２）、バッテリ５８の残量に基づいて撮像可能枚数を算出する（ステップＳ５４）。そして、ＣＰＵ５０は、ステップＳ５４において算出された撮像可能枚数がメモリ６０に記憶されたバッテリ残量に基づく撮像可能枚数と異なると判定した場合には（ステップＳ５６のＹｅｓ）、図１０に示すように、バッテリ残量に基づく撮像可能枚数の表示を更新する（ステップＳ５８）。そして、ＣＰＵ５０は、計時部５９をリセットして計時を開始させて、ステップＳ５０に戻る。一方、ＣＰＵ５０は、ステップＳ５４において算出された撮像可能枚数がメモリ６０に記憶されたバッテリ残量に基づく撮像可能枚数と等しいと判定した場合には（ステップＳ５６のＮｏ）、計時部５９をリセットして計時を開始させて、ステップＳ５０に戻る。これにより、バッテリ５８の残量の変化による撮像可能枚数の変化をユーザに報知することができる。
【００６７】
［第４の実施形態］
次に、本発明の第４の実施形態について説明する。図１１は、本発明の第４の実施形態に係る撮像装置の外観を示す斜視図である。図１１に示すように、撮像装置１０のカメラボディ１２の上面には、バッテリ残量チェックボタン８２が設けられている。バッテリ残量チェックボタン８２は、バッテリ５８の残量に基づく撮像可能数の算出を行うためのボタンである。
【００６８】
図１２は、撮像可能枚数の表示処理の第４の実施形態を示すフローチャートである。まず、ＣＰＵ５０は、モードスイッチ２０によって動作モードが静止画撮像モードに切り替えられたことを検出すると、撮像可能枚数を算出してメモリ６０に一時記憶させるとともに、液晶モニタ１８に表示させる。また、ＣＰＵ５０は、計時部５９をリセットして計時を開始させる。
【００６９】
次に、所定時間（例えば、数秒から数分）が経過すると（ステップＳ７０のＹｅｓ）、ステップＳ７２に進む。一方、ステップＳ７０において所定時間が経過する前に（ステップＳ７０のＮｏ）、バッテリ残量チェックボタン８２の押下を検出すると（ステップＳ７４のＹｅｓ）、ＣＰＵ５０は、バッテリチェックフラグをオンにして（ステップＳ７６）、ステップＳ７２に進む。なお、ステップＳ７０の所定時間の間にバッテリ残量チェックボタン８２の押下を検出しない場合には（ステップＳ７４のＮｏ）、ＣＰＵ５０は、バッテリチェックフラグをオフにする（ステップＳ７８）。
【００７０】
次に、ＣＰＵ５０は、バッテリ５８の残量をチェックする（ステップＳ７２）。そして、バッテリ５８の残量が所定値以下（警告レベル）の場合（ステップＳ８０のＹｅｓ）、ＣＰＵ５０は、バッテリ５８の残量が少ない旨の警告を液晶モニタ１８に表示させる（ステップＳ８２）。一方、バッテリ５８の残量が警告レベルでない場合（ステップＳ８０のＮｏ）、ＣＰＵ５０は、バッテリチェックフラグをオフにするとともに（ステップＳ７８）、ステップＳ７０に戻り、計時部５９をリセットして計時を開始させる。
【００７１】
次に、バッテリチェックフラグがオンの場合には（ステップＳ８４のＹｅｓ）、バッテリ５８の残量に基づいて撮像可能枚数を算出し（ステップＳ８６）、図１３に示すように、液晶モニタ１８に表示させる（ステップＳ８８）。なお、ステップＳ８８では、図１３に示すように、撮像可能枚数とともにバッテリ残量を示す図が液晶モニタ１８に表示される。そして、ＣＰＵ５０は、バッテリチェックフラグをオフにするとともに（ステップＳ７８）、ステップＳ７０に戻り、計時部５９をリセットして計時を開始させる。一方、バッテリチェックフラグがオフの場合には（ステップＳ８４のＮｏ）、ＣＰＵ５０は、バッテリチェックフラグをオフにするとともに（ステップＳ７８）、ステップＳ７０に戻り、計時部５９をリセットして計時を開始させる。
【００７２】
なお、動画撮像モード時には、ＣＰＵ５０は、動画の撮像可能時間を算出して液晶モニタ１８に表示させる。
【００７３】
本実施形態によれば、ユーザは、バッテリ５８の残量に基づく撮像可能枚数を所望のタイミングで確認することができる。
【図面の簡単な説明】
【００７４】
【図１】本発明の一実施形態に係る撮像装置の外観を示す斜視図
【図２】撮像装置１０の主要構成を示すブロック図
【図３】撮像可能数の算出基準を選択する算出基準選択画面を示す図
【図４】撮像可能枚数の表示画面を示す図
【図５】撮像可能枚数の表示処理を示すフローチャート
【図６】撮像可能枚数の表示処理の第２の実施形態を示すフローチャート
【図７】撮像可能枚数の表示処理の第３の実施形態を示すフローチャート
【図８】第３の実施形態に係る撮像可能枚数の表示画面を示す図
【図９】電池残量の変化に応じて撮像可能数を更新する処理を示すフローチャート
【図１０】撮像可能枚数の更新表示画面を示す図
【図１１】本発明の第４の実施形態に係る撮像装置の外観を示す斜視図
【図１２】撮像可能枚数の表示処理の第４の実施形態を示すフローチャート
【図１３】第４の実施形態に係る撮像可能枚数の表示画面を示す図
【符号の説明】
【００７５】
１０…撮像装置、１２…カメラボディ、１４…ファインダ接眼部、１６…ファインダランプ、１８…表示部（液晶モニタ）、２０…モードスイッチ、２２…ズームボタン、２４…マクロボタン、２６…フラッシュボタン、２８…ＭＥＮＵ／ＯＫボタン、３０…ＢＡＣＫボタン、３２…表示ボタン、３４…レリーズボタン、３６…電源スイッチ、５０…ＣＰＵ、５２…バス、５４…操作部、５６…電源制御回路、５８…バッテリ、５９…計時部、６０…メモリ、６２…メモリ制御部、６４…外部通信インターフェース部（外部通信Ｉ／Ｆ）、６６…光学系（レンズ）、６８…撮像素子、７０…Ａ／Ｄ変換器、７２…画像処理部、７４…記録メディア、７６…外部メモリ制御部、７８…フラッシュ制御回路、８０…フラッシュ発光部、８２…バッテリ残量チェックボタン
【図１】
2007312216.tif 000003
【図２】
2007312216.tif 000004
【図３】
2007312216.tif 000005
【図４】
2007312216.tif 000006
【図５】
2007312216.tif 000007
【図６】
2007312216.tif 000008
【図７】
2007312216.tif 000009
【図８】
2007312216.tif 000010
【図９】
2007312216.tif 000011
【図１０】
2007312216.tif 000012
【図１１】
2007312216.tif 000013
【図１２】
2007312216.tif 000014
【図１３】
2007312216.tif 000015